(57)【要約】【課題】  インターネット網の信頼性を補いつつ信頼性が高く低コストで、より確実に異常の発生を通報できるインターネットを使用した警備システムを提供することにある。【解決手段】  送信機とセンタ装置とが、アナログ加入回線やＩＳＤＮ回線等の公衆回線網からなるサブ回線で接続され、警備対象施設で異常が発生した場合、送信機が、異常発生のみを通報する代表警報信号をサブ回線を介してセンタ装置に通報し、代表警報信号を受信したセンタ装置が、インターネット網を介して送信機と異常の詳細について通信を行うことを特徴とする。【選択図】図１
2005216084.tif 000002
【特許請求の範囲】
【請求項１】
警備対象施設側に設けられ異常の発生や状況を送信する送信機と、該送信機からの通報をインターネット網を介して受信するセンタ装置とからなるインターネットを使用した警備システムにおいて、
該送信機と該センタ装置とが、アナログ加入回線やＩＳＤＮ回線等の公衆回線網からなるサブ回線で接続され、
該警備対象施設で異常が発生した場合、該送信機が、異常発生のみを通報する代表警報信号を該サブ回線を介して該センタ装置に通報し、
該代表警報信号を受信した該センタ装置は、該インターネット網を介して該送信機と異常の詳細について通信を行うことを特徴とするインターネットを使用した警備システム。
【請求項２】
前記送信機と前記センタ装置とが、前記インターネット網を介して異常の詳細について通信を開始した後、該インターネット網を介した通信が滞った場合、
該インターネット網に代えて前記サブ回線を介して該異常の詳細の通信を行うことを特徴とする請求項１記載のインターネットを使用した警備システム。
【請求項３】
前記センタ装置は、代表警報信号の受信を報知する代表警報受信卓を少なくとも１つ備え、該代表警報受信卓が、複数の前記サブ回線を接続できることを特徴とする請求項１又は請求項２記載のインターネットを使用した警備システム。
【請求項４】
前記代表警報受信卓が、異なる種類の前記サブ回線と接続できることを特徴とする請求項１〜請求項３のいずれかに記載のインターネットを使用した警備システム。
【発明の詳細な説明】
【技術分野】
【０００１】
本発明は、警備対象施設側に設けられた送信機とセンタ装置との間をインターネットで接続したインターネットを使用した警備システムに関する。
【背景技術】
【０００２】
従来より、一般の家庭や店舗、工場等の警備対象施設側に、異常を検知するセンサを設け、異常の情報を送信機を介して警備センタのセンタ装置に通報する警備システムが用いられている。そして、昨今のＩＰ通信網の普及により、送信機とセンタ装置とを接続する回線としてインターネット網が用いられるに至っている（例えば、特許文献１、特許文献２参照）。
【特許文献１】特開２００２−３３４３８７号公報
【特許文献２】特開２００３−２４２５７５号公報
【発明の開示】
【発明が解決しようとする課題】
【０００３】
しかしながら、従来のインターネットを使用した警備システムは、通信コストが低いものの、接続不良や情報遅延、情報欠落等が発生する可能性が高く、異常の発生を確実に通報できるか否かの信頼性において不安がある。
【０００４】
本発明は、このような事情に鑑みてなされたもので、インターネット網の信頼性を補いつつ信頼性が高く低コストで、より確実に異常の発生を通報できるインターネットを使用した警備システムを提供することにある。
【課題を解決するための手段】
【０００５】
請求項１記載のインターネットを使用した警備システムは、送信機とセンタ装置とが、アナログ加入回線やＩＳＤＮ回線等の公衆回線網からなるサブ回線で接続され、警備対象施設で異常が発生した場合、送信機が、異常発生のみを通報する代表警報信号をサブ回線を介してセンタ装置に通報し、代表警報信号を受信したセンタ装置が、インターネット網を介して送信機と異常の詳細について通信を行うことを特徴とする。
【０００６】
請求項２記載のインターネットを使用した警備システムは、送信機とセンタ装置とが、インターネット網を介して異常の詳細について通信を開始した後、インターネット網を介した通信が滞った場合、インターネット網に代えてサブ回線を介して異常の詳細の通信を行うことを特徴とする。
【０００７】
請求項３記載のインターネットを使用した警備システムは、センタ装置が、代表警報信号の受信を報知する代表警報受信卓を少なくとも１つ備え、代表警報受信卓が、複数のサブ回線を接続できることを特徴とする。
【０００８】
請求項４記載のインターネットを使用した警備システムは、代表警報受信卓が、異なる種類のサブ回線と接続できることを特徴とする。
【発明の効果】
【０００９】
請求項１の発明によれば、送信機が、接続の信頼性の高いサブ回線を介して異常発生を確実にセンタ装置に通報し、その後、通信コストが低いインターネット網を使用して異常の詳細について通信を行うことから、インターネット網の信頼性を補いつつ信頼性が高く低コストな警備システムの構築が可能である。
【００１０】
請求項２の発明によれば、インターネット網が滞った場合に、インターネット網に代えて信頼性の高いサブ回線を使用することから、より確実に異常の詳細の通信を行うことができる。
【００１１】
請求項３の発明によれば、複数のサブ回線を接続できることから、サブ回線の輻輳を回避し、より確実に異常の発生を通報できる。
【００１２】
請求項４の発明によれば、異なる種類のサブ回線が接続できることから、１つの種類の公衆回線網で不具合が生じても他の種類の公衆回線網を用いればよく、サブ回線の信頼性を一段と向上させることができる。
【発明を実施するための最良の形態】
【００１３】
以下、本発明の形態について図面を参照しながら具体的に説明する。本発明の形態における警備システムは、不審者等が侵入することが好ましくない一般の家庭や店舗、工場等の警備対象施設の異常を検知して通報するものである。
【実施例１】
【００１４】
図１は、本発明に係るインターネットを使用した警備システムの第１の実施例の構成を示す構成図である。図２は、同インターネットを使用した警備システムの動作を示す説明図である。
【００１５】
図において、本実施例の警備システムは、警備すべき警備対象施設２に設けられた各種のセンサ３と、センサ３で検知した異常をインターネット網５やサブ回線６を用いてセンタ装置２０に通知する送信機１０と、通知された異常を表示等するセンタ装置２０とからなる。
【００１６】
送信機１０は、センサ３のインタフェースである制御装置１１と、異常の情報を通信可能な信号にして送信する通信装置１２とから構成されている。また、インターネット網５は、インターネットに常時又は断続的に接続可能な回線であり、ＷＡＮ（Wide Area Network）、ＡＤＳＬ（Asymmetric Digital
Subscriber Line）回線、専用線等の他、ＬＡＮ（Local Area Network）を経由した接続も含まれる。また、公衆回線網を介してＩＳＰ（Internet Service
Provider）のアクセスポイントに接続し、インターネットが使用できるような環境であってもよい。また、サブ回線６は、公衆回線網であり、例えば、アナログ加入回線、ＩＳＤＮ回線、ＤｏＰａ回線、携帯電話網、ＰＨＳ網等である。すなわち、サブ回線６は、接続の信頼性が高い回線が望ましい。尚、インターネット網５及びサブ回線６は、有線に限られるものではなく、無線により接続されるものであってもよい。また、通信装置１２は、これらインターネット網５及びサブ回線６に接続可能な装置であり、具体的には有線方式又は無線方式のモデム、ターミナルアダプタ、ＬＡＮボード（ＬＡＮカード）等である。
【００１７】
センタ装置２０は、異常の発生のみを警備センタの管制員に伝える代表警報受信卓２２と、サブ回線６と代表警報受信卓２２とを接続する通信装置２３と、異常の詳細を表示する監視卓２１と、監視卓２１で示された異常の詳細等を保存するバックアップ装置２４とから構成されている。監視卓２１は、インターネット網５を介して、インターネットに接続可能であり、ブラウザ等を用いてＨＴＭＬ等による画面を表示可能なものである。例えば、コンピュータ端末である。また、代表警報受信卓２２は、異常の発生のみを表示できればよく、必ずしもコンピュータである必要はない。尚、本実施例では、監視卓２１と代表警報受信卓２２とを別々にした構成を示しているが、必ずしも別々である必要はない。例えば、１台のコンピュータで両方の機能を実現してもよい。
【００１８】
次に、本実施例における警備システムの動作を図２を基に説明する。まず、警備対象施設２で、センサ３が異常の発生を検知する。すると、送信機１０が、異常の発生のみを通報する代表警報信号を、サブ回線６を介してセンタ装置２０の代表警報受信卓２２に送る。代表警報信号を受信した代表警報受信卓２２は、管制員に対して警備対象施設２で異常が発生した旨を報知する。
【００１９】
異常の発生を知った管制員は、監視卓２１を用いて、インターネット網５を介して送信機１０に対して異常の詳細な状況の閲覧を要求する。送信機１０は、ＨＴＭＬ等のインターネット網５を介して閲覧可能な手段により、監視卓２１に異常の詳細な状況を送信し、監視卓２１は、受信した詳細を表示する。その表示された内容により、管制員は異常が発生した警備対象施設２に警備員を派遣したり、警察や消防に通報するようにする。
【００２０】
本実施例で使用するインターネット網５は、多くの情報を短時間で送信できる利点を有するものの、複雑に入り組んだネットワーク構造となっていることから、通信に係る費用は安価ではあるが、その信頼性は低いものである。例えば、インターネット網に接続はできたものの、データを受信するのに時間を要し、実際に発生した状況の通報に遅延を生じる場合がある。このような遅延のある状況下で、異常の発生を通報したとしても、迅速な対応ができず、警備システムとしては機能しない状態となってしまう。これに対し、本実施例の警備システムによれば、送信機１０が、接続の信頼性の高いサブ回線６を介して異常発生を確実にセンタ装置２０に通報し、その後、通信コストが低いインターネット網５を使用して異常の詳細について通信を行うことから、たとえインターネット網５に障害があっても、管制員は異常の発生を知ることができ、何らかの対処が可能である。すなわち、インターネット網５の信頼性を補いつつ信頼性が高く低コストな警備システムの構築が可能である。
【００２１】
尚、送信機１０は、代表警報信号の送信と同時に異常の詳細な情報をインターネット網５を介して閲覧可能な状態にしてもよい。また、詳細な状況の閲覧要求においては、ＩＤやパスワードにより正規なセンタ装置２０であるか否かの認証を行うことも可能である。
【００２２】
また、図２に示すように、送信機１０は、定期的又は不定期に、インターネット網５を介してセンタ装置２０との通信が正常に行われているかの通信状況確認を行う。具体的には、例えば、現在時刻等のテスト情報をインターネット網５を介して監視卓２１に送る。そして、警備システムの稼働に支障を生じるような通信上の遅延や、テスト情報の消失の有無等を確認する。もし、テスト情報の消失や著しい遅延があった場合、送信機１０は、通信異常が発生したとして、回線の変更を行うようにする。具体的には、異常の詳細を送信していた回線を、インターネット網５からサブ回線６に切り換える。このように、インターネット網５が滞った場合に、インターネット網５に代えて信頼性の高いサブ回線６を使用することから、より確実に異常の詳細の通信を行うことができる。
【００２３】
尚、異常の詳細の通信をしている途中で通信状況の確認を行う場合だけに限られるものではなく、異常が発生していない状態でも適宜通信状況の確認を行うことも可能である。図２下段に示すように、インターネット網５に障害が発見された状況では、最初に異常を通報する代表警報信号送信の段階でのサブ回線６の使用に加え、それ以降の異常の詳細の通信においても、引き続きサブ回線６を使用するようにしてもよい。この場合、代表警報信号中に使用すべき回線を指定する情報を重畳させることにより行うことが出来る。また、この通信状況の確認は、監視卓２１が行ってもよい。監視卓２１が最初にインターネット網５の障害を発見した場合は、監視卓２１がサブ回線６を介して送信機１０にアクセスするようにすればよい。
【実施例２】
【００２４】
図３は、本発明に係るインターネットを使用した警備システムの第２の実施例を示す構成図である。
【００２５】
図において、本実施例の警備システムは、送信機１０、インターネット網５、サブ回線６、センタ装置２５とにより構成されている点においては、実施例１と同様である。本実施例では、送信機１５を備え、送信機（警備対象施設）が複数ある場合を説明する。図３の警備システムにおけるセンタ装置２５は、通信装置（２３ａ，２３ｂ）及び代表警報受信卓（２２ａ）をそれぞれ有している。そして、それぞれの通信装置２３ａ，２３ｂにサブ回線６が接続されている。接続されるサブ回線６の種類は、同一であり、例えばアナログ加入回線である。そして、各送信機１０，１５は、複数あるサブ回線６のいずれかを使って、センタ装置２５と接続されることになる。尚、送信機１５の構成、監視卓２１、バックアップ装置２４、通信装置２３ａ，２３ｂ、代表警報受信卓２２ａは、実施例１に示す各装置と同様なので説明を省略する。
【００２６】
次に、本実施例における警備システムの動作を説明する。まず、例えば、異常が発生して送信機１０がサブ回線６を用いて代表警報信号を通信装置２３ａを介して代表警報受信卓２２ａに通報したとする。その通信の最中で送信機１５が代表警報信号を通報しなければならない状況になった場合、送信機１５は、サブ回線６を用いて代表警報信号を通信装置２３ｂを介して代表警報受信卓２２ａに通報する。異常の発生を知った管制員は、監視卓２１を用いて、送信機１０及び送信機１５から異常の状況を受信する。
【００２７】
実施例１の様に通信装置２３が１つしかない場合には、複数の警備対象施設で異常が発生した場合に、サブ回線６がセンタ装置２０側で輻輳してしまい、正しく異常の発生を通報することができない場合が生じかねない。しかし、本実施例のセンタ装置２５によれば、複数のサブ回線６を接続できることから、サブ回線６の輻輳を回避し、より確実に異常の発生を通報できる。尚、２つの送信機１０，１５から代表警報信号が送られてきた場合、１つの代表警報受信卓２２ａで表示する場合を説明したが、図３の破線で示すように代表警報受信卓２２ｂを備え、複数の代表警報受信卓を設けることも可能である。すなわち、通信装置２３ａ，２３ｂ及び代表警報受信卓２２ａ，２２ｂの数が限定されるものではない。
【実施例３】
【００２８】
図４は、本発明に係るインターネットを使用した警備システムの第３の実施例を示す構成図である。
【００２９】
図において、本実施例の警備システムは、送信機１０，１５、インターネット網５、サブ回線６ａ，６ｂ、センタ装置２６とにより構成されている点においては、実施例２と同様である。本実施例では、サブ回線が複数存在し、それぞれの種類が異なる場合を説明する。図４の警備システムにおけるセンタ装置２６は、通信装置（２３ｃ，２３ｄ）及び代表警報受信卓（２２ａ）をそれぞれ有している。そして、それぞれの通信装置２３ｃ，２３ｄにサブ回線６ａ及びサブ回線６ｂが接続されている。サブ回線６ａは、公衆回線網のうち特にアナログ加入回線であり、サブ回線６ｂは、公衆回線網のうち特にＩＳＤＮ回線である。尚、公衆回線網であれば他の種類の回線であっても構わない。そして、アナログ加入回線が接続された通信装置２３ｃは、すなわちアナログ加入回線用のモデムである。また、ＩＳＤＮ回線が接続された通信装置２３ｄは、すなわちＩＳＤＮ回線用のターミナルアダプタである。そして、送信機１０はアナログ加入回線であるサブ回線６ａを介してセンタ装置２６に接続されている。また、送信機１５は、ＩＳＤＮ回線であるサブ回線６ｂを介してセンタ装置２６に接続されている。尚、送信機１５の構成、監視卓２１、バックアップ装置２４は、実施例１，２に示す各装置と同様なので説明を省略する。
【００３０】
次に、本実施例における警備システムの動作を説明する。まず、例えば、異常が発生して送信機１０がサブ回線６ａを用いて代表警報信号を通信装置２３ｃを介して代表警報受信卓２２ａに通報したとする。その通信の最中で送信機１５が代表警報信号を通報しなければならない状況になった場合、送信機１５は、サブ回線６ｂを用いて代表警報信号を通信装置２３ｄを介して代表警報受信卓２２ａに通報する。異常の発生を知った管制員は、監視卓２１を用いて、送信機１０及び送信機１５から異常の状況を受信する。
【００３１】
本実施例のセンタ装置２６によれば、複数のサブ回線６ａ，６ｂを収容できることから、サブ回線６ａ，６ｂの輻輳を回避し、より確実に異常の発生を通報できる。ここで、実施例２でも同様な効果は得られるが、もし、その１つの種類の公衆回線網に障害が発生してしまった場合には、やはり異常の発生の通報に支障をきたしかねない。それに対し、本実施例においては、図４の破線に示すように、例えば、アナログ加入回線であるサブ回線６ａで障害が発生した場合には、ＩＳＤＮ回線であるサブ回線６ｂに接続を移せばよく、また、ＩＳＤＮ回線であるサブ回線６ｂで障害が発生した場合には、アナログ加入回線であるサブ回線６ａに接続を移せばよい。このように、センタ装置２６側に異なる種類のサブ回線６ａ，６ｂが接続されていることから、１つの種類の公衆回線網で不具合が生じても他の種類の公衆回線網を用いればよく、サブ回線６ａ，６ｂの信頼性を一段と向上させることができる。尚、２つの送信機１０，１５から代表警報信号が送られてきた場合、１つの代表警報受信卓２２ａで表示する場合を説明したが、図４の破線で示すように代表警報受信卓２２ｂを備え、複数の代表警報受信卓を設けることも可能である。すなわち、通信装置２３ｃ，２３ｄ及び代表警報受信卓２２ａ，２２ｂの数が限定されるものではない。
【産業上の利用可能性】
【００３２】
以上のように、本発明のインターネットを使用した警備システムは、警備センタと警備対象施設が距離的に離れており、それらの間でより確実に且つ低コストで接続することができることから、ダムや遠隔地プラント等の無人施設の監視にも適用することができる。
【図面の簡単な説明】
【００３３】
【図１】本発明に係るインターネットを使用した警備システムの第１の実施例の構成を示す構成図である。
【図２】同インターネットを使用した警備システムの動作を示す説明図である。
【図３】本発明に係るインターネットを使用した警備システムの第２の実施例を示す構成図である。
【図４】本発明に係るインターネットを使用した警備システムの第３の実施例を示す構成図である。
【符号の説明】
【００３４】
２・・・・・・・・・・・・警備対象施設
３・・・・・・・・・・・・センサ
５・・・・・・・・・・・・インターネット網
６，６ａ，６ｂ・・・・・・サブ回線
１０，１５・・・・・・・・送信機
１１・・・・・・・・・・・制御装置
１２・・・・・・・・・・・通信装置
２０，２５，２６・・・・・センタ装置
２１・・・・・・・・・・・監視卓
２２，２２ａ，２２ｂ・・・代表警報受信卓
２３，２３ａ〜２３ｄ・・・通信装置
２４・・・・・・・・・・・バックアップ装置
【図１】
2005216084.tif 000003
【図２】
2005216084.tif 000004
【図３】
2005216084.tif 000005
【図４】
2005216084.tif 000006